(57)【要約】【課題】ホワイトバランス調整をユーザ好みに容易にカスタマイズする。【解決手段】デジタルカメラ１０をパーソナルコンピュータ６２に接続してメモリカード５９から画像データＤ１をパーソナルコンピュータ６２に取り込み、選択画像をディスプレイ６３に表示する。パーソナルコンピュータ６２を操作して選択画像の色合いの評価値を入力する。何らかの評価値が既に記憶されている測色データのうちいずれかと選択画像の測色データが一致する場合、測色データに対応付けされた過去の全評価値と選択画像の評価値とを加算平均し、得られた評価値でフラッシュメモリ４８に記憶された補正パラメータを修正し、測色データに対応付けして記憶する。一致する測色データがない場合、選択画像の評価値で補正パラメータを修正し、評価値を測色データに対応付けして記憶する。撮影回数が増えるに従って補正パラメータが修正され、徐々に画像の色合いがユーザ好みになる。【選択図】図３
2009164878.tif 000002
【特許請求の範囲】
【請求項１】
被写体を撮像して画像を生成する撮像素子と、被写体の測色を行なう測色センサと、前記測色センサにより得られた測色データに基づいて補正パラメータを決定し、前記画像のホワイトバランスを調整するホワイトバランス調整回路とを備えた撮影装置と、
前記撮影装置と着脱自在に電気的に接続され、前記ホワイトバランス調整回路によりホワイトバランス調整が行なわれた画像を表示する表示部と、前記表示部に表示された画像の色合いの評価値を入力可能とする入力部と、前記入力部からの評価値に基づき前記補正パラメータを変更する制御部とを備えた補正パラメータ変更装置と
からなることを特徴とする撮影システム。
【請求項２】
前記補正パラメータ変更装置は、前記入力部から入力された評価値を異なる測色データ毎に蓄積して記憶する記憶部を有し、前記制御部は、前記入力部から入力された評価値に基づき補正パラメータを変更する際に、当該画像の測色データが前記記憶部に評価値が記憶されている測色データのいずれかと同じ場合、当該測色データについて前記記憶部に記憶されている過去の評価値を加味した統計的処理により得られる評価値に基づいて補正パラメータを変更することを特徴とする請求項１記載の撮影システム。
【請求項３】
前記統計的処理は、前記入力部から入力された新たな評価値と過去の評価値の全てを加算平均することを特徴とする請求項２記載の撮影システム。
【請求項４】
前記測色センサは、複数個が設けられていることを特徴とする請求項１ないし３いずれか１項記載の撮影システム。
【請求項５】
被写体を撮像して画像を生成する撮像素子と、被写体の測色を行なう測色センサと、前記測色センサにより得られた測色データに基づいて補正パラメータを決定し、前記画像のホワイトバランスを調整するホワイトバランス調整回路とを備えた撮影装置において、
前記ホワイトバランス調整回路によりホワイトバランス調整が行なわれた画像を表示する表示部と、
前記表示部に表示された画像の色合いの評価値を入力可能とする入力部と、
前記入力部からの評価値に基づき前記補正パラメータを変更する制御部と
を備えたことを特徴とする撮影装置。
【請求項６】
前記入力部から入力された評価値を異なる測色データ毎に蓄積して記憶する記憶部を設け、前記測色センサにより新たに得られた測色データが前記記憶部に評価値が記憶されている測色データのいずれかと同じ場合、前記制御部は、前記測色データについて前記記憶部に記憶されている過去の評価値を加味した統計的処理により得られる評価値に基づいて補正パラメータを変更することを特徴とする請求項５記載の撮影装置。
【請求項７】
前記統計的処理は、前記入力部から入力された新たな評価値と過去の評価値の全てを加算平均することを特徴とする請求項６記載の撮影装置。
【請求項８】
前記測色センサは、複数個が設けられていることを特徴とする請求項５ないし７いずれか１項記載の撮影装置。
【発明の詳細な説明】
【技術分野】
【０００１】
本発明は、被写体を撮像して撮像信号を生成するとともに撮像信号のホワイトバランス補正を行なう撮影システム及び撮影装置に関するものである。
【背景技術】
【０００２】
ＣＣＤ型やＣＭＯＳ型の固体撮像素子を用いて被写体を撮像（光電変換）し、得られた撮像信号をデジタルの画像データに変換してメモリカード等の記憶媒体に記憶するデジタルカメラやカメラ付き携帯電話などの撮影装置が普及している。このような撮影装置の多くは、カラーバランスの崩れをなくして被写体の色を正確に再現するために、ホワイトバランスを自動的に調整する機能（オートホワイトバランス機能）を備えている。
【０００３】
このようなオートホワイトバランス機能を備えた撮影装置としては、撮影のための主撮像系とは別に補助撮像系を備え、この補助撮像系を用いて、焦点調整，露光調整，ホワイトバランス調整を行なうものが知られている（特許文献１）。一方、着脱式メモリカードを用い、ホワイトバランス調整機能なども含むファームウェアをアップデート可能な撮影装置が知られている（特許文献２）。
【特許文献１】特開平６−３０３４８６
【特許文献２】特開平７−２７４０６０
【発明の開示】
【発明が解決しようとする課題】
【０００４】
ところで、画像の善し悪しは、個人の好みで決定される場合が多い。ところが、上記特許文献１記載の撮影装置では、メーカーが提供する設定でしかホワイトバランスの調整を行なうことができないため、ユーザの好みを十分に反映した色合いの画像を撮影することができないという欠点がある。また、上記特許文献２記載の撮影装置では、ファームウェアをアップデートすれば、ホワイトバランスの調整もユーザ好みに修正できる可能性があるものの、ファームウェアを書き換えるという作業は、専門的な知識を必要とするため、一般のユーザが手軽に行なえるようなものではない。
【０００５】
本発明は、上記のような問題点を解決するためになされたもので、ホワイトバランス調整をユーザ好みに容易にカスタマイズできる撮影システム及び撮影装置を提供することを目的とする。
【課題を解決するための手段】
【０００６】
本発明の撮影システムは、被写体を撮像して画像を生成する撮像素子と、被写体の測色を行なう測色センサと、前記測色センサにより得られた測色データに基づいて補正パラメータを決定し、前記画像のホワイトバランスを調整するホワイトバランス調整回路とを備えた撮影装置と、前記撮影装置と着脱自在に電気的に接続され、前記ホワイトバランス調整回路によりホワイトバランス調整が行なわれた画像を表示する表示部と、前記表示部に表示された画像の色合いの評価値を入力可能とする入力部と、前記入力部からの評価値に基づき前記補正パラメータを変更する制御部とを備えた補正パラメータ変更装置とからなることを特徴とする。
【０００７】
前記補正パラメータ変更装置は、前記入力部から入力された評価値を異なる測色データ毎に蓄積して記憶する記憶部を有し、前記制御部は、前記入力部から入力された評価値に基づき補正パラメータを変更する際に、当該画像の測色データが前記記憶部に評価値が記憶されている測色データのいずれかと同じ場合、当該測色データについて前記記憶部に記憶されている過去の評価値を加味した統計的処理により得られる評価値に基づいて補正パラメータを変更することを特徴とする。
【０００８】
前記統計的処理は、前記入力部から入力された新たな評価値と過去の評価値の全てを加算平均することを特徴とする。また、前記測色センサは、複数個が設けられていることを特徴とする。
【０００９】
本発明の撮影装置は、被写体を撮像して画像を生成する撮像素子と、被写体の測色を行なう測色センサと、前記測色センサにより得られた測色データに基づいて補正パラメータを決定し、前記画像のホワイトバランスを調整するホワイトバランス調整回路とを備えた撮影装置において、前記ホワイトバランス調整回路によりホワイトバランス調整が行なわれた画像を表示する表示部と、前記表示部に表示された画像の色合いの評価値を入力可能とする入力部と、前記入力部からの評価値に基づき前記補正パラメータを変更する制御部とを備えたことを特徴とする。
【００１０】
前記入力部から入力された評価値を異なる測色データ毎に蓄積して記憶する記憶部を設け、前記測色センサにより新たに得られた測色データが前記記憶部に評価値が記憶されている測色データのいずれかと同じ場合、前記制御部は、前記測色データについて前記記憶部に記憶されている過去の評価値を加味した統計的処理により得られる評価値に基づいて補正パラメータを変更することを特徴とする。
【００１１】
前記統計的処理は、前記入力部から入力された新たな評価値と過去の評価値の全てを加算平均することを特徴とする。また、前記測色センサは、複数個が設けられていることを特徴とする。
【発明の効果】
【００１２】
本発明の撮影システム及び撮影装置によれば、ホワイトバランス調整回路によりホワイトバランス調整が行なわれた画像を表示部に表示し、この画像の色合いの評価値を入力することにより補正パラメータを変更するので、ホワイトバランス調整をユーザ好みに容易にカスタマイズできる。また、測色センサにより新たに得られた測色データが記憶部に評価値が記憶されている測色データのいずれかと同じ場合、過去の評価値を加味した統計的処理により得られる評価値に基づいて補正パラメータを変更するので、撮影回数が多くなるにつれて徐々にユーザの好みに近いホワイトバランス調整が行なわれるようになる。また、入力部から入力された新たな評価値と過去の評価値の全てを加算平均することとすると、ユーザの好みが反映された評価値を容易に得ることができる。また、測色センサを複数個設けると、被写体の色温度だけでなく、例えば被写体の上方部の色温度など、いわゆる環境色温度も加味したホワイトバランス調整を行なうことができる。
【発明を実施するための最良の形態】
【００１３】
本発明の撮影装置であるデジタルカメラには、測色センサが設けられ、これから出力された測色データに基づいて撮像信号のホワイトバランスが調整される。撮像信号から得られるデジタルの画像データには、このホワイトバランス調整に使用された測色データが添付され、この画像データ及び測色データがメモリカードに記憶される。デジタルカメラをパーソナルコンピュータにケーブル接続して、メモリカードから画像データをパーソナルコンピュータに取り込み、画像をディスプレイに表示する。ユーザは、この画像の色合いを評価して、より自分好みとなるように、評価値を入力する。この評価値を含め過去に入力された評価値の加算平均値に基づいてデジタルカメラに記憶されている補正パラメータが修正される。これにより、徐々にユーザ好みの色合いが得られるようになる。以下、具体的に説明する。
【００１４】
デジタルカメラ１０の外観を示す図１において、デジタルカメラ１０のカメラ本体１１の前面には、沈胴式のズームレンズである撮影レンズ１２、測色センサ１３，及びストロボ発光部１４が設けられている。なお、図示しないが、カメラ本体１１の左手側には、メモリカード５９（図３参照）を装着するためのカードスロットが設けられている。
【００１５】
カメラ本体１１の上面には、回転させることによりモードの切替を行うリング状のモード切換ダイヤル１６，この中心部に設けられたシャッタボタン１７，及び電源ボタン１８が配設されている。
【００１６】
シャッタボタン１７は２段階式に構成され、軽く押して止める「半押し」の状態では自動焦点制御（ＡＦ）及び自動露出制御（ＡＥ）が作動してからＡＦとＡＥをロックし、「半押し」から更に押し込む「全押し」の状態で撮影が実行される。なお、カメラ本体１１の背面には、ディスプレイ（ＬＣＤ）５３（図３参照）や各種の操作ボタンが設けられている。
【００１７】
測色センサ１３は、被写体の色温度を測定する。測色センサ１３は、図２に示すように、半導体基板２３に形成した３個のフォトダイオード２４の上にＲ，Ｇ，Ｂフィルタ２５〜２７を被せ、各フォトダイオード２４毎にフローティング・ディフュージョン（ＦＤ）キャパシタ２８，ソース・フォロワ・アンプ２９及びＡ／Ｄコンバータ３０を設けたものである。
【００１８】
Ｒフィルタ２５を被せられたフォトダイオード２４が被写体光を受けて信号電荷を出力すると、この信号電荷はＦＤキャパシタ２８に蓄積され、蓄積電荷量に応じた信号電圧に変換される。この信号電圧がソース・フォロワ・アンプ２９によって緩衝増幅されてからＡ／Ｄコンバータ３０に入力される。Ａ／Ｄコンバータ３０は、信号電圧をデジタルの赤色成分の測色データに変換して後述するＷＢゲイン演算回路４７（図３参照）に送る。
【００１９】
同様に、Ｇフィルタ２６を被せられたフォトダイオード２４からの出力は緑色成分の測色データ、Ｂフィルタ２７を被せられたフォトダイオード２４からの出力は青色成分の測色データとしてＷＢゲイン演算回路４７に送られる。
【００２０】
デジタルカメラ１０の電気的構成及び本発明の撮影システムを示す図３において、ＣＰＵ３５は、電源ボタン１８を押圧操作することにより電源がオンにされると、フラッシュメモリ３６に格納された制御プログラムをＲＡＭ３７にロードして初期設定を行なう。この後、ＣＰＵ３５は、モード切換ダイヤル１６，シャッタボタン１７，電源ボタン１８を含む操作部３８から入力される各種の操作信号に応じて、データバス３９を介してカメラ本体１１の各部を制御する。
【００２１】
撮影レンズ１２は、焦点距離の変更（変倍）を行なう変倍レンズ及び焦点調節を行なうフォーカシングレンズを含むレンズ群と絞りとからなる。これらの移動はモータによって行なわれ、このモータは、ＣＰＵ３５に制御されるモータ駆動部４１によって駆動される。
【００２２】
撮影レンズ１２の背後には、前述のＣＣＤイメージセンサ（以下、単にＣＣＤという）４３が配置されている。ＣＣＤ４３は、受光面に二次元配列された複数の光電変換素子（フォトダイオード）を備え、撮影レンズ１２を通過してその受光面に結像された被写体像を光電変換素子が光電変換する。ＣＣＤ４３は、各光電変換素子毎に受光量に応じた信号電荷を生成し、各信号電荷を電圧信号に変換することにより撮像信号を生成する。なお、ＣＣＤ４３には、Ｒ，Ｇ，Ｂのカラーフィルタが設けられており、撮像信号にはＲ，Ｇ，Ｂの色成分が含まれる。
【００２３】
ＣＣＤ４３は、タイミングジェネレータ（ＴＧ）４４から入力されるタイミング信号（クロックパルス）に基づいて制御される。スルー画表示の際には、ＣＣＤ４３からフィールド画（偶数フィールド又は奇数フィールド）の撮像信号が読み出され、ＣＤＳ／ＡＭＰ回路４５に入力される。また、撮影時には、ＣＣＤ４３からフレーム画の撮像信号が読み出され、ＣＤＳ／ＡＭＰ回路４５に入力される。
【００２４】
ＣＤＳ／ＡＭＰ回路４５は、相関二重サンプリング回路（ＣＤＳ）と、増幅器（ＡＭＰ）とからなる。ＣＤＳは、相関二重サンプリングを施すことにより、撮像信号に含まれるノイズを除去し、信号電荷の電荷量に正確に対応したＲ，Ｇ，Ｂの撮像信号を生成する。ＡＭＰは、撮像信号に含まれるＲ，Ｇ，Ｂの各色成分を増幅する。
【００２５】
ＣＤＳ／ＡＭＰ回路４５には、ＷＢゲイン演算回路４７が接続されている。ＷＢゲイン演算回路４７は、測色センサ１３から入力される測色データに基づいて補正パラメータであるＲ，Ｇ，Ｂ成分の各ゲインを演算し（補正パラメータの決定）、得られた各ゲインをＣＤＳ／ＡＭＰ回路４５に送る。ＷＢゲイン演算回路４７によって測色データから決定された補正パラメータは、フラッシュメモリ４８に記憶される。
【００２６】
ＣＤＳ／ＡＭＰ回路４５のＡＭＰは、撮像信号のＲ，Ｇ，Ｂの各色成分にＷＢゲイン演算回路４７から入力された各ゲインを乗算して撮像信号のホワイトバランスを調整する。
【００２７】
データバス３９には、ＣＰＵ３５，ＣＤＳ／ＡＭＰ回路４５の他、Ａ／Ｄ変換器４６，画像信号処理回路５０，圧縮伸長処理回路５１，ビデオエンコーダ５２，ＳＤＲＡＭ５３，メディアコントローラ５４，ＡＥ／ＡＦ検出回路５５が接続されている。ＣＰＵ３５には、操作部３８，フラッシュメモリ３３，ＲＡＭ３４の他、ストロボ発光部１４を発光させるストロボ装置５６が接続されている。
【００２８】
ＣＤＳ／ＡＭＰ回路４５から出力された撮像信号は、Ａ／Ｄ変換器４６によりデジタルの画像データに変換された後、画像信号処理回路５０に送られる。画像信号処理回路５０は、画像データに対して、階調変換、γ補正処理などの各種画像処理と、ＹＣ変換処理とを施す。撮影モード下で撮影処理が実行される前には、画像信号処理回路５０に入力されたスルー画の画像データ（フィールド画）は、簡易な画像処理とＹＣ変換処理とが施されてＳＤＲＡＭ５３に一時的に書き込まれる。
【００２９】
ＳＤＲＡＭ５３には、連続した２フィールド画分を記憶するスルー画用のメモリ領域があり、一方から読み出し中に、他方に書き込みをする。ビデオエンコーダ５２は、ＳＤＲＡＭ５３に書き込まれた画像データをコンポジット信号に変換し、ＬＣＤ５８にスルー画像として表示する。
【００３０】
また、撮影処理が実行されたときには、画像信号処理回路５０に入力されたフレーム画の画像データは、本格的な画像処理とＹＣ変換処理とが施され、ＳＤＲＡＭ５３に一時的にストアされた後、圧縮伸長処理回路５１で圧縮処理が施されてから、メディアコントローラ５４を介してメモリカード５９に記憶される。このメモリカード５９に記憶された画像データＤ１には、このホワイトバランス調整に使用された測色データＣ１が添付される。
【００３１】
ＡＥ／ＡＦ検出回路５５は、画像データに基づいて露出検出、焦点位置検出を行う。露出検出では、Ａ／Ｄ変換器４６から出力された画像データの輝度レベルを１画面分積算し、この積算値を露出情報として、データバス３９を介してＣＰＵ３５に出力する。焦点位置検出では、撮像信号から輝度レベルの高域成分のみを抽出して積算し、この積算値を焦点評価値として、ＣＰＵ３５に出力する。ＣＰＵ３５は、ＡＥ／ＡＦ検出回路５５から入力された検出結果に基づいて、モータ駆動部４１及びＴＧ４４を制御してシャッタ速度、絞り値を最適な値に調節する。
【００３２】
フラッシュメモリ４８及びメディアコントローラ５４には、外部とデータの遣り取りを行なう例えばＵＳＢのインターフェース６０が接続されている。インターフェース６０には、ＵＳＢケーブル６１を用いてパーソナルコンピュータ６２が電気的に接続可能である。デジタルカメラ１０をパーソナルコンピュータ６２に接続した状態で、パーソナルコンピュータ６２を操作するによって一般のユーザでも簡単にフラッシュメモリ４８に記憶されている補正パラメータを書き換えることができる。
【００３３】
パーソナルコンピュータ６２には、補正パラメータを書き換えるための専用ソフトウエアがインストールされており、デジタルカメラ１０をＵＳＢケーブル６１及びインターフェース６０を介して接続すると、専用ソフトウエアが自動的に起動して、メモリカード５９に記憶されている全ての画像データを読み込む。これにより、パーソナルコンピュータ６２に接続されたディスプレイ６３の画面に、図４（Ａ）に示すように、読み込まれた画像データの画像がサムネール表示される。
【００３４】
このサムネール表示された画像から所望の画像を選択すると、同図（Ｂ）に示すように、その選択画像６４がディスプレイ６３に拡大表示されるとともに、選択画像６４の右側には、カラー調整パネル６５が表示される。カラー調整パネル６５には、上から下に向かって「赤強」，「青強」，「ＧＯＯＤ」，「赤弱」，「青弱」の文字が順次に配列されており、各右横にラジオボタンが付設されている。
【００３５】
ユーザは、選択画像６４を観察して、その色合いを評価し、例えば選択画像６４の色合いが自分好みであると思ったら、マウス６６を操作して「ＧＯＯＤ」の右側にあるラジオボタンにカーソル６７を合わせてクリックする。また、例えば選択画像６４の赤味を強くした方がよりよいと思う場合には、「赤強」の右側にあるラジオボタンをクリックする。このクリック操作に連動してディスプレイ６３に表示された選択画像６４の色合いが変化する。
【００３６】
ユーザは、選択画像６４の色合いの変化を観察して、これでよいと思ったら、キーボード６８のエンターキーを押すか、マウス６６を操作して画面上の決定キー６９をクリックする。これにより、パーソナルコンピュータ６２の専用ソフトウエアにより、選択画像６４の色合いの評価値がパーソナルコンピュータ６２のハードディスク７０に形成されたフォルダ７１（図５参照）に記憶されるとともに、ＵＳＢケーブル６１及びインターフェース６０を介して、フラッシュメモリ４８に記憶されている補正パラメータが評価値に基づいて修正される。
【００３７】
選択画像６４の色合いの評価値は、「赤強」，「青強」，「ＧＯＯＤ」，「赤弱」，「青弱」に対して、それぞれ例えば「４」，「−４」，「１」，「２」，「−２」と決められており、図５に示すように、各画像の測色データに対応付けされる。以降、異なる測色データ毎に評価値が撮影日順に蓄積して記憶される。
【００３８】
次回以降に撮影された新たな選択画像をディスプレイ６３に表示し、カラー調整パネル６５のいずれかのラジオボタンをクリックしてから決定キー６９をクリックすると、専用ソフトウエアは、新たな選択画像の測色データが、フォルダ７１になんらかの評価値が既に記憶されている測色データのうちいずれかと一致するか否か調べる。
【００３９】
一致する測色データがある場合、その測色データに対応付けして記憶されている全ての評価値（例えば測色データの値が「１５」の場合、評価値は「１」，「２」，「１」，・・・）と新たな選択画像に対して入力された評価値とを加算平均し、得られた評価値に基づいてフラッシュメモリ４８に記憶されている補正パラメータを修正するとともに、フォルダ７１の同じ測色データに対応付けして記憶する。
【００４０】
一致する測色データがない場合、新たな選択画像に対して入力された評価値を選択画像の測色データに対応付けして記憶するとともに、その評価値に基づいてフラッシュメモリ４８に記憶されている補正パラメータを修正する。
【００４１】
このように構成された撮影システムの作用について図６に示すフローチャートを参照して説明する。デジタルカメラ１０は撮影モードにセットされているものとする。ＣＣＤ４３からフィールド画の撮像信号が読み出され（ｓｔ１）、ＣＤＳ／ＡＭＰ回路４５に入力される。一方、ＷＢゲイン演算回路４７には、測色センサ１３から被写体の測色データが入力される。
【００４２】
ＷＢゲイン演算回路４７は、測色センサ１３から入力された測色データに基づいて補正パラメータ（Ｒ，Ｇ，Ｂ成分の各ゲイン）を決定し（ｓｔ２）、これをＣＤＳ／ＡＭＰ回路４５に入力する。ＣＤＳ／ＡＭＰ回路４５のＡＭＰは、ＷＢゲイン演算回路４７から入力された各ゲインを用いて撮像信号の各色成分を増幅することにより、ホワイトバランス調整を行なう（ｓｔ３）。このホワイトバランス調整は、フィールド画の撮像信号が読み出される毎に繰り返し行なわれる。
【００４３】
ホワイトバランス調整が終わった撮像信号はＡ／Ｄ変換器４６でデジタルの画像データに変換されてから画像信号処理回路５０に入力される。画像データは、画像信号処理回路５０で各種の処理を施された後、ＳＤＲＡＭ５３に一時的に格納された後、スルー画としてＬＣＤ５８に表示される（ｓｔ４）。
【００４４】
シャッタボタン１７を全押し操作すると（ｓｔ５）、ＣＣＤ４３からフレーム画の撮像信号が読み出される（ｓｔ６）。ＷＢゲイン演算回路４７は、シャッタボタン１７の全押しと同時に測色センサ１３から入力された測色データに基づいて補正パラメータを決定し（ｓｔ７）、これをＣＤＳ／ＡＭＰ回路４５に入力するとともにフラッシュメモリ４８に記憶する。
【００４５】
フレーム画の撮像信号は、ＣＤＳ／ＡＭＰ回路４５でＲ，Ｇ，Ｂ信号に変換されてから、ＷＢゲイン演算回路４７から入力された補正パラメータ（Ｒ，Ｇ，Ｂ成分の各ゲイン）により個別に増幅されてホワイトバランス調整が行なわれる（ｓｔ８）。なお、各ゲインの算出に撮像信号を用いないから、高速に各ゲインを算出でき、シャッタボタン１７の全押し時の被写体光の色温度をリアルタイムに反映したホワイトバランス調整を行なうことができる。
【００４６】
ホワイトバランス調整が施された撮像信号は、Ａ／Ｄ変換器４６でデジタルの画像データに変換され、画像信号処理回路５０に送られる。画像信号処理回路５０で各種の処理を施された画像データは、ＳＤＲＡＭ５３に一時的に格納された後、圧縮伸長処理回路５１で圧縮処理され、メディアコントローラ５４によりメモリカード５９に記憶される（ｓｔ９）。メモリカード５９に記憶された画像データＤ１には、このホワイトバランス調整に使用された測色データＣ１が添付され、１個の画像ファイルとされる。
【００４７】
デジタルカメラ１０による撮影が終了したら（ｓｔ１０）、インターフェース６０を介してデジタルカメラ１０とパーソナルコンピュータ６２とをＵＳＢケーブル６１で接続する（ｓｔ１１）。パーソナルコンピュータ６２に予めインストールされている専用ソフトウエアが起動し、メモリカード５９内に記憶されている画像データが読み込まれてディスプレイ６３にサムネール表示される。この中から、ユーザが所望の画像を選択すると、選択画像６４がディスプレイ６３に大きく表示される（ｓｔ１２）とともに、その右側にカラー調整パネル６５が表示される。
【００４８】
ユーザは、選択画像６４を観察して色合いを評価し、自分の好みに合う色合いになるように、右側のカラー調整パネル６５に配列されているラジオボタンをクリックする。例えば「青弱」のラジオボタンをクリックすると、選択画像６４の青味が弱くなり、「赤強」のラジオボタンをクリックすると、選択画像６４の赤味が強くなる。
【００４９】
ユーザは、「赤強」のラジオボタンをクリックした場合の選択画像６４の色合いが好ましいと感じたら、決定キー６９をクリックする（ｓｔ１３）。これにより、専用ソフトウエアは、選択画像６４の測色データが、フォルダ７１になんらかの評価値が既に記憶されている測色データのうちいずれかと一致するか否かを調べる（ｓｔ１４）。
【００５０】
一致する測色データがある場合（ｓｔ１４）、その測色データに対応付けして記憶されている全ての評価値と選択画像６４に対して入力された評価値とを加算平均し（ｓｔ１５）、得られた評価値に基づいてフラッシュメモリ４８に記憶されている補正パラメータを修正する（ｓｔ１６）とともに、フォルダ７１の同じ測色データに対応付けして記憶する（ｓｔ１７）。
【００５１】
一致する測色データがない場合（ｓｔ１４）、選択画像６４に対して入力された評価値に基づいてフラッシュメモリ４８に記憶されている補正パラメータを修正する（ｓｔ１６）とともに、その評価値を選択画像６４の測色データに対応付けして記憶する（ｓｔ１７）。
【００５２】
このようにして新たな画像を撮影する度にデジタルカメラ１０をパーソナルコンピュータ６２に接続して補正パラメータを修正してゆくから、撮影回数が増えるに従って徐々に画像の色合いがユーザ好みになる。
【００５３】
次に、本発明の撮影装置であるデジタルカメラ７２を示す図７において、デジタルカメラ７２は、パーソナルコンピュータを接続することなく、単体でユーザ好みのホワイトバランス調整を行なうものである。なお、上記デジタルカメラ１０と同じ部材には、同じ符号を付し、説明を省略する。
【００５４】
デジタルカメラ７２では、デジタルカメラ１０からインターフェース６０を省略し、フラッシュメモリ４８がデータバス３９に接続され、ＣＰＵ３５がパーソナルコンピュータ６２と同様の役目を果たす。このため、フラッシュメモリ３３には、パーソナルコンピュータ６２にインストールされている専用ソフトウエアと同様のソフトウエアが記憶されており、モード切換ダイヤル１６を操作して、「色合い変更モード」にセットすると、フラッシュメモリ３３からＲＡＭ３４にロードされ、ＣＰＵ３５により実行される。
【００５５】
「色合い変更モード」にセットされると、ビデオエンコーダ５２はメモリカード５９から画像データを読み込み、タッチパネル機能を有するＬＣＤ７３に画像をサムネール表示する。このうち１つの画像を選択してタッチすると、選択画像６４がＬＣＤ７３に拡大表示されるとともに、その右側にカラー調整パネル６５が表示される。
【００５６】
ユーザは、選択画像６４の色合いを評価し、自分の好みに合う色合いになるように、右側のカラー調整パネル６５に配列されているラジオボタンをスタイラスペン等でタッチする。例えば、「青強」のラジオボタンをタッチしてから、決定キー６９をタッチすると、ＲＡＭ３４にロードされた専用ソフトウエアが実行され、「青強」の評価値に基づいてフラッシュメモリ４８に記憶されている補正パラメータが修正されるとともに、「青強」の評価値が測色データ毎にフラッシュメモリ３３に記憶される。
【００５７】
以上説明した実施形態では、有線（ＵＳＢケーブル）でデジタルカメラとパーソナルコンピュータとを接続したが、本発明はこれに限定されることなく、例えば無線ＬＡＮを用いて接続するようにしてもよい。
【００５８】
上記実施形態では、測色センサを１個だけとしたが、本発明はこれに限定されることなく、例えば２個や３個としてもよい。例えば２個とした場合、１個の測色センサは、被写体の中央部を測色し、他の１個の測色センサは、被写体の上方を測色するようにするのが好ましい。
【図面の簡単な説明】
【００５９】
【図１】本発明のデジタルカメラの外観を示す斜視図である。
【図２】測色センサの構成を示す説明図である。
【図３】デジタルカメラの電気的な構成及び撮影システムを示すブロック図である。
【図４】パーソナルコンピュータの概略を示す説明図である。
【図５】異なる測色データ毎に対応付けされて記憶された評価値の例を示す説明図である。
【図６】撮影システムの主なシーケンスを示すフローチャートである。
【図７】別の実施形態であるデジタルカメラの電気的な構成を示すブロック図である。
【符号の説明】
【００６０】
１０，７２  デジタルカメラ
１３  測色センサ
３３，４８  フラッシュメモリ
３５  ＣＰＵ
４３  ＣＣＤ
４５  ＣＤＳ／ＡＭＰ
４７  ＷＢゲイン演算回路
５９  メモリカード
６０  インターフェース
６２  パーソナルコンピュータ
６３  ディスプレイ
６４  選択画像
６５  カラー調整パネル
７０  ハードディスク
７１  フォルダ
７３  ＬＣＤ
Ｄ１  画像データ
Ｃ１  測色データ
【図１】
2009164878.tif 000003
【図２】
2009164878.tif 000004
【図３】
2009164878.tif 000005
【図４】
2009164878.tif 000006
【図５】
2009164878.tif 000007
【図６】
2009164878.tif 000008
【図７】
2009164878.tif 000009